(57)【要約】【課題】破断線がノッチに対向する端縁まで至らないことによる開封不良のおそれを抑制するとともに、破断線のきっかけとなるノッチの形成位置の精度を緩和することができる包装袋を提供する。【解決手段】フィルムを重ね合せ、少なくとも３つの端縁をシールして収容部を形成した矩形の包装袋であって、少なくとも収容部上において、フィルムの強度を弱化させた第１の弱化線と、３つの端縁のうちの一つの端縁である第１の端縁において、収容部を開封する際にフィルム破断のきっかけとなる第１のノッチとが形成され、第１の弱化線は、第１の端縁から、第１の端縁に対向する第２の端縁に向かうにつれて、第１の端縁に隣接する端縁のうち第１のノッチに近い側の端縁である第３の端縁に近づくように延伸するとともに、第１の端縁と直交する方向に、第１のノッチから第２の端縁にまで延伸する第１の直線と交差する部分を含む。【選択図】図１
2019001523.tif 000002
【特許請求の範囲】
【請求項１】
フィルムを重ね合せ、少なくとも３つの端縁をシールして収容部を形成した矩形の包装袋であって、
少なくとも前記収容部上において、前記フィルムの強度を弱化させた第１の弱化線と、
前記３つの端縁のうちの一つの端縁である第１の端縁において、前記収容部を開封する際に前記フィルム破断のきっかけとなる第１のノッチとが形成され、
前記第１の弱化線は、
前記第１の端縁から、前記第１の端縁に対向する第２の端縁に向かうにつれて、前記第１の端縁に隣接する端縁のうち前記第１のノッチに近い側の端縁である第３の端縁に近づくように延伸するとともに、前記第１の端縁と直交する方向に、前記第１のノッチから前記第２の端縁にまで延伸する第１の直線と交差する部分を含む、包装袋。
【請求項２】
少なくとも前記収容部上において、前記フィルムの強度を弱化させた第２の弱化線と、
前記第３の端縁に対向する、前記３つの端縁のうちの一つの端縁である第４の端縁において、前記収容部を開封する際に前記フィルム破断のきっかけとなる第２のノッチとがさら形成され、
前記第２の弱化線は、
前記第４の端縁から前記第３の端縁に向かうにつれて、前記第２の端縁に近づくように延伸するとともに、前記第４の端縁と直交する方向に、前記第２のノッチから前記第３の端縁まで延伸する第２の直線と交差する部分を含む、請求項１に記載の包装袋。
【発明の詳細な説明】
【技術分野】
【０００１】
本発明は、包装袋に関するものである。
【背景技術】
【０００２】
１枚の矩形状の積層フィルムを２つ折りにして、合わせた端縁をシールして収容部を形成した三方シール袋や、一組の矩形状の積層フィルムを互いに重ね合せた後、端縁をシール（ヒートシール）して収容部を形成した四方シール袋等の包装袋が知られている。
【０００３】
特許文献１には、４つの端縁のうち隣り合う２つの端縁のそれぞれに沿って平行に延びる、ハーフカット等により強度を弱化させた弱化線（開封予定線）を、表裏の積層フィルム上に形成した矩形の包装袋（四方シール袋）が開示されている。この包装袋には、例えば薬物を経皮投与するテープ材や貼付剤のようなシート状の内容物を包装することができる。
【０００４】
この包装袋の使用者は、初めに、包装袋の端縁に形成されたノッチ（切欠き）をきっかけとして、ノッチの近傍の弱化線に沿って積層フィルムを対向する他端まで破断する。次に、包装袋の使用者は、包装袋の別の端縁に形成されたノッチをきっかけにし、このノッチの近傍の弱化線に沿って積層フィルムを対向する他端まで破断する。この結果、包装袋には、２つの弱化線に沿って形成された破断線から構成される開封口が形成される。これにより、開封口が大きく開くので、包装袋の使用者は、この開封口から内容物を容易に取り出すことができる。
【先行技術文献】
【特許文献】
【０００５】
【特許文献１】国際公開第２０１５／１０５１０１号
【発明の概要】
【発明が解決しようとする課題】
【０００６】
しかしながら、このような包装袋においては、破断線が弱化線から外れることによって、開封口の形成が困難になる場合があった。特に、力の加え方によっては破断線が弱化線から外れることがある、ノッチの形成された端縁と隣接する端縁に達した場合は、広い開封口を形成ができなくなる。この結果、開封不良となり内容物を取出せないおそれがあった。
【０００７】
また、このような包装袋においては、ノッチを弱化線の端部に接するように形成するために高い加工精度での加工が必要となり、包装袋の安定的な生産が困難になる場合があった。
【０００８】
本発明はこのような課題に鑑みてなされたものであり、破断線がノッチに対向する端縁まで至らないことによる開封不良のおそれを抑制するとともに、破断線のきっかけとなるノッチの形成位置の精度を緩和することができる包装袋を提供することを目的とする。
【課題を解決するための手段】
【０００９】
上記課題を解決するための本発明の一局面は、フィルムを重ね合せ、少なくとも３つの端縁をシールして収容部を形成した矩形の包装袋であって、少なくとも収容部上において、フィルムの強度を弱化させた第１の弱化線と、３つの端縁のうちの一つの端縁である第１の端縁において、収容部を開封する際にフィルム破断のきっかけとなる第１のノッチとが形成され、第１の弱化線は、第１の端縁から、第１の端縁に対向する第２の端縁に向かうにつれて、第１の端縁に隣接する端縁のうち第１のノッチに近い側の端縁である第３の端縁に近づくように延伸するとともに、第１の端縁と直交する方向に、第１のノッチから第２の端縁にまで延伸する第１の直線と交差する部分を含む、包装袋である。
【発明の効果】
【００１０】
本発明によれば、破断線がノッチに対向する端縁まで至らないことによる開封不良のおそれを抑制するとともに、破断線のきっかけとなるノッチの形成位置の精度を緩和することができる包装袋を提供することができる。
【図面の簡単な説明】
【００１１】
【図１】本発明の一実施形態に係る包装袋の平面図及び側面図
【図２】弱化線の形成位置を説明する図
【図３】本発明の変形例に係る包装袋の平面図
【図４】本発明の変形例に係る包装袋の平面図
【図５】本発明の変形例に係る包装袋の平面図
【発明を実施するための形態】
【００１２】
本発明の実施形態に係る包装袋について、図を参照して説明する。なお、変形例等において、同一または対応する構成には、同一の参照符号を付して説明を省略する。
【００１３】
図１に本発明の一実施形態に係る包装袋１００の平面図及び側面図を示す。包装袋１００は、２枚の矩形状のフィルム１０を重ね合せ、４つの端縁７１〜７４をシールして形成したシール部２０により囲まれた収容部３０を備える四方シール包装袋である。包装袋１００は、さらに、少なくとも収容部３０上に形成されフィルム１０の強度を弱化させた第１の弱化線４１及び第２の弱化線４２と、端縁７１〜７４のいずれか２箇所に形成され、収容部３０を開封する際にフィルム１０破断のきっかけとなる第１のノッチ５１及び第２のノッチ５２とを備える。
【００１４】
なお、以下では、第１のノッチ５１が形成された端縁を第１の端縁７１、第１の端縁７１に対向する端縁を第２の端縁７２、第１の端縁７１に隣接する端縁のうち第１のノッチ５１に近い側の端縁を第３の端縁７３、第３の端縁７３に対向する端縁を第４の端縁７４と呼ぶ。
【００１５】
（フィルム）
フィルム１０は、矩形状に形成され、端縁７１〜７４をシールすることにより収容部３０を有する包装袋１００とすることができる。フィルム１０には、端縁７１〜７４をヒートシール等によりシールするために、最内層にシーラント層を備える２層以上の多層フィルムを好適に用いることができる。フィルム１０を構成する層の材料としては、例えば、ポリエチレンテレフタレート（ＰＥＴ）、アルミニウム（ＡＬ）、セロファン、ポリエチレン（ＰＥ）、透明蒸着ＰＥＴ、低吸着シーラント（ヒートシール性を有するＰＥＴ、環状ポリオレフィン、ＥＶＯＨシーラント等）等を用いることができ、多層フィルムの場合は、これらを適宜組み合せて用いることができる。
【００１６】
（ノッチ）
第１のノッチ５１、第２のノッチ５２は、包装袋１００の端縁７１〜７４に形成される切り込みである。包装袋１００の使用者は、収容部３０の開封に際して、第１のノッチ５１、第２のノッチ５２をきっかけにしてフィルム１０を破断することができる。図１に示すように、包装袋１００は、第１の端縁７１に形成された第１のノッチ５１と、第４の端縁７４に形成された第２のノッチ５２とを備える。第１のノッチ５１、第２のノッチ５２のいずれも、対向する端縁７１〜７４に向かって、シール部２０を所定長さにわたって直線状に切り込んで形成される。第１のノッチ５１、第２のノッチ５２の形状は、フィルム１０破断のきっかけとなるものであれば直線状に限定されず、三角形、五角形等の切り欠き形状を採用することができる。
【００１７】
（弱化線）
第１の弱化線４１、第２の弱化線４２は、フィルム１０の強度を線状に弱化させた箇所である。第１の弱化線４１によって、破断線が、第１の端縁７１と隣接する端縁のうち第１のノッチ５１に近い側の第３の端縁７３に至ることを防ぐことができる。また、第２の弱化線４２によって、破断線が、第４の端縁７４と隣接する端縁のうち第２のノッチ５２に近い側の第２の端縁７２に至ることを防ぐことができる。
【００１８】
包装袋１００において、第１の弱化線４１、第２の弱化線４２は、２枚のフィルム１０の両方に、包装袋１００に形成した際に平面視において重なるように形成されているが、２枚のフィルム１０のいずれか一方のみに形成してもよい。
【００１９】
図１に示すように、第１の弱化線４１は、第１の端縁７１から第２の端縁７２に向かうにつれて、第３の端縁７３に近づくように延伸するとともに、第１の端縁７１と直交する方向に、第１のノッチ５１から第２の端縁７２にまで延伸する仮想的な第１の直線６１と交差する緩やかな曲線と、この曲線の第２の端縁７２側の端部から第２の端縁７２に向かって第３の端縁７３と略平行に延伸する曲線とにより構成されている。
【００２０】
また、第２の弱化線４２は、第４の端縁７４から第３の端縁７３に向かうにつれて、第２の端縁７２に近づくように延伸するとともに、第４の端縁７４と直交する方向に、第２のノッチ５２から第３の端縁７３まで延伸する仮想的な第２の直線６２と交差する緩やかな曲線と、この曲線の第４の端縁７４側の端部から第３の端縁７３に向かって第２の端縁７２と略平行に延伸する曲線とにより構成されている。
【００２１】
図２に、弱化線の形成位置を、第１の弱化線４１を例にして説明する包装袋１００の拡大図を示す。第１の弱化線４１は、２つの端部それぞれの第１の直線６１からの距離（Ｌａ１、Ｌａ２）が１ｍｍ以上となるように形成されることが好ましい。第１の弱化線４１をこのように形成することで、第１のノッチ５１から見て、第１の弱化線４１に幅を持たせることができる。したがって、破断線の形成方向が、第１の直線６１に平行でなく、第３の端縁７３や第４の端縁７４に向かう場合であっても、破断線は第１の弱化線４１に達する、破断線の形成方向を第２の端縁７２へ誘導することができる。
【００２２】
第１の弱化線４１、第２の弱化線４２は、フィルム１０に断続的な線状の切れ目（ハーフカット）を形成することにより得られる。フィルム１０が積層フィルムである場合には、積層フィルムの最外層のみに貫通した切れ目を設けることにより第１の弱化線４１、第２の弱化線４２を形成することができる。第１の弱化線４１、第２の弱化線４２の形成には、トムソン刃やレザー刃等の刃型を用いた方法や、炭酸ガスレーザーを用いた方法等の周知の方法を用いることができる。
【００２３】
（弱化線の機能）
このように包装袋１００の第１の弱化線４１及び第２の弱化線４２を、それぞれ第１の直線６１または第２の直線６２と交差する箇所を含むように形成することにより、第１のノッチ５１または第２のノッチ５２をきっかけにして形成された破断線の形成方向が第１の直線６１や第２の直線６２に平行でない場合であっても、破断の開始後すみやかに第１の弱化線４１または第２の弱化線４２に到達させることができる。
【００２４】
第１の弱化線４１または第２の弱化線４２に達した破断線は、第１の弱化線４１または第２の弱化線４２に沿って進む。ここで、第１の弱化線４１は、第２の端縁７２に向かって延伸して形成されている。また、第２の弱化線４２は、第３の端縁７３に向かって延伸して形成されている。このため、第１の弱化線４１または第２の弱化線４２に達した破断線は、第１の弱化線４１または第２の弱化線４２に沿って、第２の端縁７２または第３の端縁７３の近傍まで進むことができる。
【００２５】
以上説明したように、包装袋１００は、第１の弱化線４１を備えることにより、第１のノッチ５１をきっかけとした破断線が、第３の端縁７３や第４の端縁４に至ることを防ぐとともに、第２の端縁７２の近傍に達するように誘導することができる。また、包装袋１００は、第２の弱化線４２を備えることにより、第２のノッチ５２をきっかけとした破断線が、第１の端縁７１や第２の端縁７２に至ることを防ぐことができるとともに、第３の端縁７３の近傍に達するように誘導することができる。したがって、包装袋１００によれば、破断線が第１のノッチ５１及び第２のノッチ５２に対向する端縁まで至らないことによる開封不良のおそれを抑制することができる。また、第１のノッチ５１及び第２のノッチ５２に対応する第１の弱化線４１及び第２の弱化線４２を設けることで、２軸方向における開封性を向上させることができる。
【００２６】
さらに、包装袋１００の第１の弱化線４１及び第２の弱化線４２は、第１の直線６１または第２の直線６２と交差するように形成されている。このため、第１の弱化線４１及び第２の弱化線４２は、破断線の形成方向に対して第１のノッチ５１から見て幅を有する。このため、第１のノッチ５１及び第２のノッチ５２の形成範囲も、第１の端縁７１及び第２の端縁７２において余裕を持たせることが可能になる。したがって、ノッチを弱化線の端部に接するように形成していた従来技術に係る包装袋と比較して、ノッチの形成位置の精度を緩和することができる。
【００２７】
（変形例）
第１の弱化線４１、第２の弱化線４２は、緩やかな曲線ではなく直線としてもよい。図３に、第１の弱化線４１、第２の弱化線４２を直線で形成した、変形例に係る包装袋１０１を示す。
【００２８】
第１の弱化線４１、第２の弱化線４２は、少なくとも収容部３０上に形成されていればよく、第１の弱化線４１、第２の弱化線４２の端部が包装袋３０の端縁７１〜７４に接するように形成してもよい。図４に、第１の弱化線４１、第２の弱化線４２の端部を包装袋の端縁に接するように形成した、変形例に係る包装袋１０２を示す。
【００２９】
第１の弱化線４１、第２の弱化線４２の形状は、フィルム１０の強度を線状に弱化させることができれば、断続的な切れ目により構成されるミシン目に限定されない。図５に、第１の弱化線４１、第２の弱化線４２の形状を、八の字状となる２つの微細な切れ目の組を線状に複数配置した八の字ミシン目として形成した、変形例に係る包装袋１０３を示す。第１の弱化線４１、第２の弱化線４２には、これ以外にも、直線、直線を複数並べた多重線等の形状を用いることができる。
【００３０】
包装袋１００は四方シール袋としたが、包装袋は少なくとも３つの端縁をシールして収容部を形成した矩形の包装袋であれば四方シール袋に限定されない。包装袋としては、例えば、１枚の矩形状の積層フィルムを２つ折りにして、合わせた端縁をシールした三方シール袋を用いてもよい。また、１枚の矩形状の積層フィルムを２つ折りにして、４つの端縁とした四方シール袋を用いてもよい。
【００３１】
包装袋１００には第１の弱化線４１、第２の弱化線４２を１本ずつ形成したが、弱化線はいずれか１本であってもよい。
【実施例】
【００３２】
実施例及び比較例に係る包装袋を製造し、これらを用いて各包装袋の開封性についての評価を行った。実施例に係る包装袋は、図１に示した包装袋１００の弱化線形成位置及び弱化線形状を変えることにより製造した。比較例に係る包装袋は、包装袋１００の弱化線を、ノッチから延伸する仮想的な直線と交差しない位置に形成するか（比較例１〜９）、または仮想的な直線に関して実施例の弱化線とは対称の形状となるように形成した（比較例１０、１１）。実施例及び比較例のいずれも、包装袋１００と同様に、弱化線は、２つのノッチのそれぞれが形成された２つの端縁が接する角を起点とする対角線に対して対称となるように２本形成した（第１及び第２の弱化線）。
【００３３】
全ての実施例及び比較例に係る包装袋として、最外層から最内層の順に以下の層構成を有するフィルムを用いたものをそれぞれ全て作成した。
（１）ポリエチレンテレフタレート（ＰＥＴ）（１２μｍ）／アルミニウム（ＡＬ）（７μｍ）／ヒートシール性を有するＰＥＴ（２０〜５０μｍ）
（２）セロファン（＃３００〜５００）／ＡＬ（７μｍ）／ヒートシール性を有するＰＥＴ（２０〜５０μｍ）
（３）ＰＥＴ（１２μｍ）／ＡＬ（９μｍ）／ポリエチレン（ＰＥ）（２０〜５０μｍ）
（４）ＰＥＴ（１２μｍ）／ＰＥ（１０〜３０μｍ）／ＡＬ（７μｍ）／ＰＥ（１０〜４０μｍ）
（５）セロファン（＃３００〜５００）／ＰＥ（１０〜３０μｍ）／ＡＬ（７μｍ）／ＰＥ（１０〜４０μｍ）
（６）ＰＥＴ（１２μｍ）／ヒートシール性を有するＰＥＴ（１０〜５０μｍ）
（７）透明蒸着ＰＥＴ（１２μｍ）／ヒートシール性を有するＰＥＴ（１０〜５０μｍ）
（８）ＰＥＴ（１２μｍ）／ＰＥ（１０〜５０μｍ）
【００３４】
上記のフィルムを、後述する包装袋の寸法に対応する矩形状に切断した後、フィルム表面に弱化線を形成した。その後、弱化線を形成したフィルムを２枚準備し、これらを最内層（シーラント層）が対向するように重ね合わせた後、４つの端縁をシールした。シール幅（図２のＬｓ）は、５ｍｍとした。最後に、シール部に線状のノッチを形成して包装袋とした。ノッチは、隣接する端縁どうしが接する包装袋の角からの距離（図２のＬｎ）が、１０ｍｍの位置に形成した。
【００３５】
製造した包装袋を、第１及び第２のノッチをきっかけとして開封した際の開封性について評価した。表１に、実施例１〜１４及び比較例１〜１１に係る各包装袋の寸法、弱化線の端部の位置Ｌａ１及びＬａ２、弱化線の形状、及び評価結果（開封性）を示した。なお、端部の位置Ｌａ１及びＬａ２が正の値の場合は、図２において端部が第１の直線５１よりも上方にあることを示し、負の値の場合は、第１の直線５１よりも下方にあることを示す。
【００３６】
評価結果では、全てのサンプルにおいて、破断線がノッチから対向する端縁まで達した包装袋は、十分な開封性を有するものとして「＋＋」で示した。また、破断線が、全てのサンプルにおいて、ノッチの形成された端縁と対向する端縁まで達することがなく、開封不良が生じた場合には、開封性を有さないものとして「−」で示した。また、一部のサンプルにおいて開封性を有するものが確認され、他のサンプルにおいて開封不良が生じた場合には、開封性が十分ではないものの開封性を有するものとして「＋」で示した。
【００３７】
【表１】
2019001523.tif 000003
【００３８】
実施例１〜１４に係る包装袋においては、破断線を形成する方向に対して、ノッチから見て第１及び第２の弱化線に幅を持たせることができるため、破断線の形成方向がノッチから対向する端縁に延伸する直線に平行でない場合であっても、破断線をすみやかに第１または第２の弱化線に到達させることができ、破断線がノッチから対向する端縁まで達することができた。この結果から、表１に示すように、実施例１〜１４に係る包装袋が十分な開封性を有していることが確認できた。なお、全てのフィルムの層構成、厚さによらず同じ結果が得られた。
【００３９】
これに対して、比較例１〜１１に係る包装袋は、少なくとも一部のフィルムにおいて、破断線がノッチから対向する端縁まで達することができない開封不良が生じた。具体的には、比較例１、比較例３〜７、比較例９〜１１においては、破断線を形成する方向に対して第１及び第２の弱化線に幅を持たせることができないため、破断線の形成方向がノッチから対向する端縁に延伸する直線に平行でない場合に、破断線をすみやかに第１及び第２の弱化線に到達させることができなかった。このため、破断線がノッチから対向する端縁まで達することができず、開封不良が生じた。なお、全てのフィルムの層構成、厚さによらず同じ結果が得られた。
【００４０】
比較例２、比較例８においては、破断線を形成する方向に対して第１及び第２の弱化線は幅を有さないものの、破断線が、ノッチの形成された端縁に隣接する端縁であってノッチに近い側の端縁に向かうことを抑制できるため、一部のサンプルでの開封不良の発生を防ぐことができた。
【産業上の利用可能性】
【００４１】
本発明は、薬物を経皮投与するテープ材や貼付剤のようなシート状の内容物の包装に好適に用いることができる。
【符号の説明】
【００４２】
１００〜１０３    包装袋
１０    フィルム
２０    シール部
３０    収容部
４１    第１の弱化線
４２    第２の弱化線
５１    第１のノッチ
５２    第２のノッチ
６１    仮想的な第１の直線
６２    仮想的な第２の直線
７１    第１の端縁
７２    第２の端縁
７３    第３の端縁
７４    第４の端縁
【図１】
2019001523.tif 000004
【図２】
2019001523.tif 000005
【図３】
2019001523.tif 000006
【図４】
2019001523.tif 000007
【図５】
2019001523.tif 000008